(57)【特許請求の範囲】
【請求項１】
釣鉤を有するブラクリオモリ、両端に釣り糸を連結可能な両カン付きオモリ、整流翼の付いたカジ付きオモリ、およびテンビン付きオモリ等を含む各種オモリの何れか、また、木材、プラスチック、発泡スチロール等から構成したウキや、化学発光体、リチウム電池等を利用して発光する電気ウキを含む各種ウキの何れか、あるいは、ヨリモドシ、三ツ又ヨリモドシ、スナップスイベル、クレンサルカン等を含む各種接続金具の何れか、または、木材、合成樹脂、水鳥の羽等を利用した各種目印の何れか、さらにまた、プラグ、スプーン、スピナー、ワーム、グラブ、ソフト・ジグ、スピナーベイト、バザー等を含む各種ルアーの何れか、もしくは、ウェット・フライ、ドライ・フライ、ニンフ・フライ、コルクポッパー、ストリーマー、バグ等を含む各種フライの何れかからなる釣具本体の軸芯部分に相当する部分に、上下に渡ってに直線状の装着用孔を穿孔する一方、該装着用孔に対し、同装着用孔の全長より長い、弾発性のステンレスワイヤーからなる主材部を進退自在に挿入すると共に、主材部の当該釣具本体から上方に突出する上端側を、装着用孔の直径よりも大径の円弧状で、一回転半、あるいはそれに整数回を加えた回転数分だけ密着コイル状または略密着コイル状に捲回して釣り糸係合孔部を形成した上、その短尺状に残した末端側を、装着用孔に挿通状となっている主材部に略平行状となすことによって装着用孔と短尺状の該末端側との間に閉鎖構造を形成すると共に、当該釣具本体の下方から突出する下端側には、装着用孔の直径よりも大きな直径で捲回形成したコイルバネを同心状に装着した上、該コイルバネの下端に主材部下端側を結合、一体化し、当該コイルバネの復原力を受けて主材部が下方に向けて付勢する抜け出し防止構造を形成してなるものとしたことを特徴とする釣り具。
【請求項２】
釣鉤を有するブラクリオモリ、両端に釣り糸を連結可能な両カン付きオモリ、整流翼の付いたカジ付きオモリ、およびテンビン付きオモリ等を含む各種オモリの何れか、また、木材、プラスチック、発泡スチロール等から構成したウキや、化学発光体、リチウム電池等を利用して発光する電気ウキを含む各種ウキの何れか、あるいは、ヨリモドシ、三ツ又ヨリモドシ、スナップスイベル、クレンサルカン等を含む各種接続金具の何れか、または、木材、合成樹脂、水鳥の羽等を利用した各種目印の何れか、さらにまた、プラグ、スプーン、スピナー、ワーム、グラブ、ソフト・ジグ、スピナーベイト、バザー等を含む各種ルアーの何れか、もしくは、ウェット・フライ、ドライ・フライ、ニンフ・フライ、コルクポッパー、ストリーマー、バグ等を含む各種フライの何れかからなる釣具本体の軸芯部分に相当する部分に、上下に渡ってに直線状の装着用孔を穿孔する一方、該装着用孔に対し、同装着用孔の全長より長い、弾発性のステンレスワイヤーからなる主材部を進退自在に挿入すると共に、主材部の当該釣具本体から上方に突出する上端側を、装着用孔の直径よりも大径の円弧状で、一回転半、あるいはそれに整数回を加えた回転数分だけ密着コイル状または略密着コイル状に捲回して釣り糸係合孔部を形成した上、その短尺状に残した末端側を、装着用孔に挿通状となっている主材部に略平行状となすことによって装着用孔と短尺状の該末端側との間に閉鎖構造を形成すると共に、当該釣具本体の下方から突出する下端側には、装着用孔の直径よりも大きな直径で捲回形成したコイルバネを同心状に装着した上、該コイルバネの下端に主材部下端側を結合、一体化し、当該コイルバネの復原力を受けて主材部が下方に向けて付勢する抜け出し防止構造を形成し、該防止構造には、ゴムパイプを装着してなるものとしたことを特徴とする釣り具。
【請求項３】
釣鉤を有するブラクリオモリ、両端に釣り糸を連結可能な両カン付きオモリ、整流翼の付いたカジ付きオモリ、およびテンビン付きオモリ等を含む各種オモリの何れか、また、木材、プラスチック、発泡スチロール等から構成したウキや、化学発光体、リチウム電池等を利用して発光する電気ウキを含む各種ウキの何れか、あるいは、ヨリモドシ、三ツ又ヨリモドシ、スナップスイベル、クレンサルカン等を含む各種接続金具の何れか、または、木材、合成樹脂、水鳥の羽等を利用した各種目印の何れか、さらにまた、プラグ、スプーン、スピナー、ワーム、グラブ、ソフト・ジグ、スピナーベイト、バザー等を含む各種ルアーの何れか、もしくは、ウェット・フライ、ドライ・フライ、ニンフ・フライ、コルクポッパー、ストリーマー、バグ等を含む各種フライの何れかからなる釣具本体の軸芯部分に相当する部分に、上下に渡ってに直線状の装着用孔を穿孔する一方、該装着用孔に対し、同装着用孔の全長より長い、弾発性のステンレスワイヤーからなる主材部を進退自在に挿入すると共に、主材部の当該釣具本体から上方に突出する上端側を、装着用孔の直径よりも大径の円弧状で、一回転半、あるいはそれに整数回を加えた回転数分だけ密着コイル状または略密着コイル状に捲回して釣り糸係合孔部を形成した上、その短尺状に残した末端側を、装着用孔に挿通状となっている主材部に略平行状となすことによって装着用孔と短尺状の該末端側との間に閉鎖構造を形成すると共に、当該釣具本体の下方から突出する下端側には、装着用孔の直径よりも大きな直径で捲回形成したコイルバネを同心状に装着した上、該コイルバネの下端に主材部下端側を結合、一体化し、当該コイルバネの復原力を受けて主材部が下方に向けて付勢する抜け出し防止構造を形成し、該防止構造には、ゴムパイプを装着すると共に、該ゴムパイプの先端側に、暗所で発光する棒状の発光材部を取り付けてなるものとしたことを特徴とする釣り具。
【発明の詳細な説明】
【０００１】
【発明の目的】
この発明は、釣り糸に各種釣り具を取り付ける係着構造に関するものであって、特に、ハリス、ルアー、目印、フライ、オモリ、ウキまたは接続金具等の釣り具用小物を組み合わせ、その時々の釣り場の状況に応じて仕掛けを組み立てる際に、特別な工具を必要としたり、釣り糸を付け変える等の手間暇を要することなく、手作業で簡単、迅速に取り付け、取り替え可能とする新規な構造からなる釣り具の釣り糸用係着部の構造、およびそれを利用した釣り具を提供しようとするものである。
【０００２】
【従来の技術】
我が国は、その国土が対馬海流、親潮、黒潮等といった豊富な水産資源をもたらす海流が交差する海によって囲まれ、また、内陸部には山や湖に端を発する多くの河川が流れ出すという絶好の自然環境に恵まれていることから、休日ともなれば、自然を求める人々が、海や川を訪れては遊漁に興ずる風景が数多く見受けられ、その数も年々増加するばかりであり、今では魚釣りは国民的レジャーの一つに数えられるようになってきている。
【０００３】
この魚釣りが多くの人々から急速に愛好されるようになった背景には、飛躍的な経済発展に支えられ、余暇を楽しむ余裕が生じ始めてきたことと裏腹に、現代社会における生活が急速に複雑化、多様化してしまって日常的なストレスを抱え込んでしまうようになったことから、その解消策の一つとして自然に対する憧れが強まっていき、その自然との関わり合いの深い魚釣りが、その要求を満たす手軽な趣昧あるいはスポーツの一つとして人気が高まってきているものと予想される。
【０００４】
魚釣りは，こうした自然に親しむための格好の手段となり得ると共に、趣味として繰り返していくに連れ、次第により良い釣果を挙げることが楽しみの重要なポイントとなっていき、多くの釣り人は、その目的を達成するために釣り対象魚の習性や季節、釣場の状況等、様々な予測し難い不確定な要素を推理、勘案して仕掛けを作り出し、また、その地方独特の釣り法があればそれに準ずる仕掛けを取り入れる等、様々に独自の工夫を凝らしては探し当てた釣り場に挑み、適格に棚を探り当て御目当ての獲物を釣り上げていく快感を楽しみ、そして互いにその釣果を競い合うこととなる。
【０００５】
この魚釣りの釣果は、例えば短時間の中に釣り場を通過してしまうような回遊魚に相対した時や、潮の変化で狙いと異なる魚の群れに出くわした時等に、どれだけ素早く最適な仕掛けに切り替えて対応できるかどうかに大きく左右されてくる。したがって、その切り替えに手間取って素早い対応ができないでしまえば、折角の好機を逸してしまって釣りの醍醐味を味わい損ね、後々まで未練を残すこととなり、当然のことながら釣果にも大きな影響が出て、仮令同じ釣り場という同一の条件下で釣りを行っていたとしても、大きな釣果に喜ぶ者と、努力が徒労に終わって落胆する者とに明暗を別けてしまうことになる。
【０００６】
現在、広く普及しているスナップスイベルやインターロック等は、それら魚釣り用の各種用具を着脱し易くする介在具として代表的なものとなっているが、釣り糸を通過する部分の一部に、フック部分を係合する板金金具部分を有し、その縁部が釣り糸を傷付ける虞れがあったり、また、着脱部分を有する輪形状部分が、釣り糸の直径に対して大き過ぎるため、取り付けた用具が釣り糸の動きに追随し難く、釣り人の微妙なテクニックが生かしきれないとい欠点を有する上、何よりも予めそれらを釣糸に介在させておかなければならず、釣糸に対し、それ自体の位置を変える点では、他の各種用具と同様の煩わしさを残していて、素早い対応を不可能にしているという不都合を抱えていることから、多くの釣り人は、釣り糸を傷付ける心配がなく、より操作性に秀れていて手早く仕掛けを組み立てることのできる簡便な用具の開発を心待ちにしているというのが現状である。
【０００７】
こうした要求に応えるものとして、例えば特開平９−９８７００号公報に示される釣り具があり、同釣り具は、ウキを取り付けるコアの外周壁面に螺旋状のガイド管路を形成し、該螺旋状のガイド管路に釣り糸を挿通した上、外側にスリーブを装着したものとして形成し、釣り糸に張力が加わらないときには、ウキを取り付けた釣り具が、釣り糸に沿って移動自在となり、ウキの取り付け位置の調整を簡単に行うことができ、オモリによる荷重や、魚が掛り釣り糸に張力が加わることにより、該釣り具が釣り糸に対して係止されるよう構成したものであり、水深の表層または低層に定着している魚や、回遊魚に素早く対応できるものとなっているが、スリーブを取り付ける際には、釣り糸を途中から切断するか、あるいは、釣り糸の先端側から装着しなければならず、釣り中に素早く取り付けできるものではなかった。
【０００８】
また、特開平９−２７５８５５号公報に開示される釣り具は、螺旋状に形成し、釣り糸に絡み付くように装着できる目印やオモリ等であり、釣り糸の中途部分にも、容易且つ素早く取り付け、取り外しすることができるものとなっているが、螺旋状に形成された釣り具では、釣り糸の僅かな緩み等によって部分的に離脱してしまうという弊害を懸念しなければならないものであった。
【０００９】
この発明は、以上のように対象魚の習性や、季節および釣り場の条件等に応じ、素早く作りあげる必要のある仕掛け用の釣り具が、従前までのものでは釣り糸中途部への装着の困難なものや、釣り糸への傷付け、不用意な釣り糸からの離脱等という問題を抱えたままであって、それらの不都合を解消する新たな釣り具の提供が未だなされていないという実情に疑問を抱き、それらの事情に対応可能な釣り具の構造改善ができないものかとの判断から、逸速くその開発、研究に着手し、長期に渡る試行錯誤と幾多の試作、実験とを繰り返してきた結果、今回、遂にそれらの目的を達成可能とする新規な構造の釣り具の釣り糸用係着部の構造、およびそれを利用した釣り具を実現化することに成功したものであり、以下では、図面に示すこの発明を代表する幾つかの実施例と共に、その構成を詳述していくこととする。
【００１０】
【発明の構成】
図面に示すこの発明を代表する実施例からも明確に理解されるように、この発明に包含される釣り具の釣り糸用係着部の構造は、基本的に、弾発性ワイヤーからなる主材部の一端部側を一回転半、あるいはそれに整数回を加えた回転数分だけ捲回加工して密着コイル状、または略密着コイル状の釣り糸係合孔部を形成する一方、その末端側は、当該主材部との間で釣り糸中途部分を横断状に出し入れ可能に開閉する閉鎖構造となる如く構成したものである。
【００１１】
さらに、より具体的な構成のものとして示すと、この発明の釣り具の釣り糸用係着部の構造は、弾発性ワイヤーからなる主材部の一端部側を一回転半、あるいはそれに整数回を加えた回転数分だけ捲回加工して密着コイル状または略密着コイル状の釣り糸係合孔部を形成する一方、その末端側は、該釣り糸係合孔部からやや離れた箇所において当該主材部方向に屈曲されて一部を主材部側面に当接状または添接状とすることにより、当該主材部との間で釣り糸中途部分を横断状に出し入れ可能に開閉する閉鎖構造に形成してなる構成を要旨とするものということになる。
【００１２】
また、上記した基本的な構成要件を備えた別の閉鎖構造を有するものとして、この発明の釣り具の釣り糸用係着部には、弾発性ワイヤーからなる主材部の一端部側を一回転半、あるいはそれに整数回を加えた回転数分だけ捲回加工して密着コイル状または略密着コイル状の釣り糸係合孔部を形成する一方、その末端側は、該釣り糸係合孔部からやや離れた箇所において当該主材部方向に屈曲された上、その末端に設けたフック部を主材部に係脱自在とすることにより、当該主材部との間で釣り糸中途部分を横断状に出し入れ可能に開閉する閉鎖構造に形成してなる構成を要旨とするものが包含されている。
【００１３】
そして、同様に別の閉鎖構造を持つものとして、この発明は、弾発性ワイヤーからなる主材部の一端部側を一回転半、あるいはそれに整数回を加えた回転数分だけ捲回加工して密着コイル状または略密着コイル状の釣り糸係合孔部を形成する一方、当該主材部の他端部側を大きく屈曲させ、その末端を、先の釣り糸係合孔部形成側の末端と対峙状にすると共に、両者間を、対象となる釣り糸直径に略等しいか、それよりもやや小さい値の離反間隔に止まるようにしたものとすることにより、当該主材部との間で釣り糸中途部分を横断状に出し入れ可能に開閉する閉鎖構造に形成してなることを要旨とする釣り具の釣り糸用係着部の構造も包含している。
【００１４】
加えて、この発明の釣り具の釣り糸用係着部の構造には、閉鎖構造の一部に、掛け渡し部片や釣り具本体等を利用してなる構成のもので、弾発性ワイヤーからなる主材部の一端部側を一回転半、あるいはそれに整数回を加えた回転数分だけ捲回加工して密着コイル状または略密着コイル状の釣り糸係合孔部を形成する一方、その末端側を当該主材部と略平行状かやや外開き加減にしたまま、両者を内挿状とするリングやコイル、筒体等からなる掛け渡し部片か、あるいは釣り具本体の一部を挿脱自在に組み合わせたものとすることにより、当該主材部との間で釣り糸中途部分を横断状に出し入れ可能に開閉する閉鎖構造に形成してなる構成を要旨とするものも含まれる。
【００１５】
主材部は、この発明の釣り糸用係着部の主要構成部分を形成する機能を果たすものであり、係着の対象となる釣り糸と同等以上の強度を確保するものとしなければならず、少なくとも釣り糸係合孔部には、弾発性を有するワイヤー、例えばステンレス鋼、メッキや塗装等の防錆処理の施されたステンレス以外の鉄鋼、真鍮、その他、同等の性能を有する金属製ワイヤー、または、金属製ワイヤーの要所に軟質合成樹脂被膜を形成し、係合する釣り糸を保護するよう構成したものや、ポリカーボネート、ポリプロピレン、その他の合成樹脂を使用してなる硬質合成樹脂成形品から構成した弾発性ワイヤー等を採用すべきであり、釣り糸係合孔部および閉鎖構造を含む主材部全体を同様の弾発性ワイヤーから構成するのが望ましいものである。
【００１６】
釣り糸係合孔部は、釣り糸中途部分を係脱可能であると共に、同釣り糸中途部分を係着した状態に保持する機能を果たすものであって、弾発性ワイヤーからなる主材部の一部をコイル状あるいは輪状となるように捲回加工し、釣り糸中途部分を係着可能なものとすべきであり、弾発性ワイヤーからなる主材部の一部を、円形状、三角形状、四角形状、あるいはそれ以外の輪形状となるように屈曲して一回転半、あるいはそれに整数回を加えた回転数分だけ捲回加工した密着コイル状、または係着の対象となる釣り糸の直径より狭い隙間をもってなる略密着コイル状に形成することができる外、密着渦巻線状もしくは釣り糸の直径より狭い隙間をもって略密着渦巻線状としたものとすることも可能である。
【００１７】
閉鎖構造は、釣り糸中途部分を横断状に出し入れ可能に閉鎖する機能を果たすと共に、オモリ、ウキ、ヨリモドシ、目印、ルアー、その他の釣り具を着脱可能に連結する機能を果たすものであって、釣り糸係合孔部の釣り糸挿通部分からはやや離れて配置するか、もしくは、近接して配置する場合には、釣り糸係合孔部から離脱する釣り糸が不用意に横断状の通過をしないよう配置、構成しなければならず、釣り糸以外の釣り具、例えばオモリ、ウキ、ヨリモドシ、目印、ルアー、その他の釣り具に設けられた環状あるいは鉤状の連結部分を、横断状に出し入れ可能に閉鎖する機能を果たすものとするのが望ましく、主材部末端側を鉤状のフック部とし、これを主材部中途部に係脱可能とすることができる外、主材部の一端部および末端部を所定間隔離反させた対峙状に配置したものとすることも可能であり、また、金属製、合成樹脂製、セラミックス製、木製、天然ゴム製あるいは布製のリングや、金属まはた合成樹脂等からなる弾発性を有するコイル、あるいは金属製、合成樹脂製、セラミックス製の弾発性をもたないコイル、または、金属製、合成樹脂製、セラミックス製、木製、天然ゴム製、布製の筒体等からなる掛け渡し部片を設けたものとすることも可能であり、さらにまた、オモリ、ウキ、ヨリモドシ、目印、ルアー、その他の釣り具の一部を掛け渡し部片と同等の機能を果たすものとして利用するよう構成することもできる。
【００１８】
以上のとおりの構成を要旨とするものの外、この発明の釣り具の釣り糸用係着部の構造には、上記した閉鎖構造および釣り糸係合孔部の双方を、それ以外の構成からなるものとしたものも包含しており、その構成は、弾発性ワイヤーからなる主材部の一端部側を屈曲すると共に、その末端側を当該主材部に一回転以上ややルーズに捲回加工した上、その末端に設けたフック部を主材部に係脱自在とすることにより、当該主材部との間で釣り糸中途部分を横断状に出し入れ可能に開閉する閉鎖構造に形成する一方、該閉鎖構造とされた箇所よりも下に屈曲形成された部分を釣り糸係合孔部にしてなることを要旨とするものとして示すことができる。
【００１９】
ここに示す釣り糸係合孔部は、釣り糸中途部分を係脱可能にすると共に、同釣り糸中途部分を係着した状態に保持する機能を果たすものであって、弾発性ワイヤーからなる主材部の一端側を屈曲すると共に、末端側を同主材部に一回転以上絡み付くよう捲回加工し、釣り糸を挿通可能な輪状に形成したものであり、主材部の一端を二回以上に渡り、捲回して密着コイル状あるいは略密着コイル状とすることが可能である外、密着渦巻状または略密着渦巻状に捲回してもよい。
【００２０】
また、ここに示す閉鎖構造は、釣り糸中途部分を横断状に出し入れ可能に閉鎖する機能を果たすと共に、オモリ、ウキ、ヨリモドシ、目印、ルアー、その他の釣り具を着脱可能に連結する機能を果たすものであって、釣り糸係合孔部の釣り糸挿通部分からは、やや離れるよう配置するか、近接して配置する場合には、釣り糸係合孔部から離脱する釣り糸が、不用意に横断状の通過をしなよう構成しなければならず、釣り糸以外のオモリ、ウキ、ヨリモドシ、目印、ルアー、その他の釣り具も、横断状に出し入れ可能に閉鎖する機能を果たすものとすべきであり、主材部末端側を鉤状のフック部とし、これを主材部中途部に係脱可能とすることができる外、主材部の一端部および末端部を所定間隔離反させた対峙状に配置したものとすることも可能であり、また、弾発性を有するコイル、あるいは弾発性をもたないコイル、または、筒体等からなる掛け渡し部片を設けたものとすることも可能であり、さらに、オモリ、ウキ、ヨリモドシ、目印、ルアー、その他の釣り具の一部を掛け渡し部片と同等の機能を果たすものとして利用するよう構成することもできる。
【００２１】
【関連する発明】
前記した釣り具の釣り糸用係着部の構造に関連し、この発明にはその釣り糸用係着部の構造を利用してなる釣り具も包含しており、その構成の要旨は、基本的に次のとおりのものである。
即ち、釣具本体に直線状の装着用孔を穿孔する一方、同装着用孔よりも長く、所定長に設定された弾発性ワイヤーからなり、その釣り糸係着側となる一端側に、釣具本体装着用孔の開口寸法よりも大径の釣り糸係合孔部と、当該主材部との間で釣り糸中途部分を横断状に出し入れ可能に開閉する閉鎖構造とを形成してなる主材部の、他端部側から釣り具本体装着用孔に挿入、貫通状とした後、同端部側を適宜抜け出し防止構造に形成してなる、前記何れか記載の釣り糸用係着部の構造を使用した釣り具である。
【００２２】
さらに、釣り糸用係着部の構造を利用した釣り具を、より具体的な構成のものとして示すと、釣具本体に直線状の装着用孔を穿孔する一方、同装着用孔よりも長く、所定長に設定された弾発性ワイヤーからなり、その釣り糸係着側となる一端側を一回転半、あるいはそれに整数回を加えた回転数分だけ捲回加工し、釣具本体装着用孔の開口寸法よりも大径とした密着コイル状または略密着コイル状の釣り糸係合孔部に形成すると共に、その末端側を、当該主材部との間で釣り糸中途部分を横断状に出し入れ可能に開閉する閉鎖構造に形成してなる主材部の、他端部側から釣り具本体装着用孔に挿入、貫通状とした後、同端部側を適宜抜け出し防止構造に形成してなる、前記釣り糸用係着部の構造を使用してなるものとなる。
【００２３】
また、この発明の釣り具は、閉鎖構造および釣り糸係合孔部の双方を、別の構造からなるものとした釣り糸用係着部の構造を有するものも包含しており、釣具本体に直線状の装着用孔を穿孔する一方、同装着用孔よりも長く、所定長に設定された弾発性ワイヤーからなり、その釣り糸係着側となる一端側を屈曲すると共に、その末端側を当該主材部に一回転以上ややルーズに捲回加工した上、その末端に設けたフック部を主材部に係脱自在とすることにより、当該主材部との間で釣り糸中途部分を横断状に出し入れ可能に開閉する閉鎖構造に形成する一方、該閉鎖構造とされた箇所よりも下に屈曲形成された部分を釣り糸係合孔部にしてなる主材部の、他端部側から釣り具本体装着用孔に挿入、貫通状とした後、同端部側を適宜抜け出し防止構造に形成してなる構成を要旨とするものも包含している。
【００２４】
釣り具本体は、釣り糸の中途部に取り付けられ、釣りに必要とされる各種の機能を夫々に果たすものであって、釣鉤を有するブラクリオモリ、両端に釣り糸を連結可能な両カン付きオモリ、整流翼の付いたカジ付きオモリ、およびテンビン付きオモリ等を含む各種オモリの何れか、また、木材、プラスチック、発泡スチロール等から構成したウキや、化学発光体、リチウム電池等を利用して発光する電気ウキを含む各種ウキの何れか、あるいは、ヨリモドシ、三ツ又ヨリモドシ、スナップスイベル、クレンサルカン等を含む各種接続金具の何れか、または、木材、合成樹脂、水鳥の羽等を利用した各種目印の何れか、さらにまた、プラグ、スプーン、スピナー、ワーム、グラブ、ソフト・ジグ、スピナーベイト、バザー等を含む各種ルアーの何れか、もしくは、ウェット・フライ、ドライ・フライ、ニンフ・フライ、コルクポッパー、ストリーマー、バグ等を含む各種フライの何れか等を採用することができる。
【００２５】
釣り具本体に形成された装着用孔は、釣り糸用係着部の主材部を進退可能に装着する機能を果たすものであって、その形状を直線管路状に形成すべきであり、少なくとも釣り糸用係着部が位置する側の端部を、釣り糸用係着部の釣り糸係合孔部が通過しない孔径および形状に設定すると共に、釣り糸用係着部の主材部および釣り糸用係着部から延伸状となる同主材部の他端部側を、閉鎖構造とするよう挿入可能な孔径および形状に設定すべきであるが、例えば、釣り具本体の装着用孔に近接する位置に、同装着用孔と平行状に配置され、主材部他端部側を挿入可能とする挿入穴を穿孔し、釣り糸用係着部の主材部を閉鎖方向へ移動することにより、該挿入穴に主材部他端部側を挿入し、開閉可能に閉鎖するよう構成することもできる。
【００２６】
釣り糸用係着部主材部の他端部に形成した抜け出し防止構造は、釣り具本体の装着用孔に装着された釣り糸用係着部の脱落を防止する機能を果たすと共に、同釣り糸用係着部を開閉可能に閉鎖する機能を果たすものであり、釣り具本体の装着用孔の孔径よりも大きな直径の弾発性を有する筒状体、例えば、ゴム管あるいはコイルバネ等を、該釣り糸用係着部主材部の他端側に同心状に装着し、同他端側で固着したものとすることができる外、釣り糸用係着部主材部の他端側に雄ネジ部を刻設し、該雄ネジ部を、釣り具本体装着用孔内周壁面に形成した雌ネジ部、または装着用孔内側に埋め込み固着されたナット、あるいは、釣り具本体とは別体に設けられたナットに螺合するよう構成して、雌ネジ部またはナットへの螺合、締め付けによって閉鎖構造を閉鎖し、雌ネジ部またはナットへの螺合を緩めることにより、閉鎖構造を開放するよう構成したものとすることも可能であり、さらに、同抜け出し防止構造には、連結環やゴム管等の連結構造を設け、他の釣り具、例えば、ハリス、ガン玉オモリ、暗所で目印となる夜光性の棒体等を装着可能に構成することもできる。
以下では、図面に示すこの発明を代表する実施例と共に、その構造について詳述することとする。
【００２７】
【実施例１】
図１の釣り糸用係着部の構造を示す斜視図、図２ないし図６の釣り糸用係着部に釣り糸を係着する手順の斜視図、および、図７ないし図１０の釣り糸用係着部から釣り糸を取り外す手順の斜視図に示される事例は、主材部１の一端部側を一回転半に渡り捲回加工して釣り糸係合孔部２を形成し、さらに同主材部１の末端側を、釣り糸係合孔部２からやや離れた箇所において主材部１方向に屈曲し、その一部を主材部１側面に当接状とした基本的構成からなるこの発明に包含される釣り糸用係着部の構造の代表的な一実施例を示すものである。
【００２８】
当該釣り糸用係着部の構造は、一本の弾発性を有するステンレスワイヤーからなる主材部１を折曲加工することによって形成されたものであり、中途部を密着コイル状に捲回加工して釣り糸係合孔部２を形成する一方、その末端側を、主材部１との間で、釣り糸中途部４を横断状に出し入れ可能に開閉する閉鎖構造３を形成したものとなっており、該釣り糸係合孔部２は、主材部１の一端部側を、釣り糸中途部４が緩やかに装着可能な円形となるよう一回転半捲回加工し、密着コイル状に形成すると共に、閉鎖構造部３は、釣り糸係合孔部２を形成した主材部１の末端側を、釣り糸係合孔部２からやや離れた位置まで主材部１に平行状に延伸した上、該主材部１側に向けて円弧状に屈曲し、さらに、その末端部を主材部１の周壁面に当接状に接するよう加工したものとなっている。
【００２９】
また、釣り糸用係着部の閉鎖構造３は、図１１の閉鎖構造の変形例の斜視図に示されるように、閉鎖構造の主材部１末端を主材部１側面から、やや離れるよう屈曲しまもとのすることが可能である外、図１２の閉鎖構造部の他の変形例の斜視図に示されるもののように、主材部１末端でフック部３１を形成するよう構成することもでるものであり、また、図１３の閉鎖構造のさらに他の変形例の斜視図に示されるように、主材部１の一端部および末端部の端面同士を、釣り糸中途部分４の直径と略同じ離間間隔を隔てて対峙するよう構成したものとすることもできる。
【００３０】
さらに、図１４の掛け渡し部片を有する釣り糸用係着部の斜視図に示されるもののように、コイルバネからなる掛け渡し部片３２を閉鎖構造３として設けることも可能であり、該釣り糸用係着部は、主材部１の一端を比較的短尺直線状に形成すると共に、中途部を一回転半に渡って密接コイル状に捲回加工し、釣り糸係合孔部２を形成する一方、その末端側を一端側の短尺直線状部分に平行、且つ、短尺直線状部分よりも長尺となるよう直線状に延伸した上、同末端を環状に屈曲して連結環部３３を形成すると共に、同延伸状の末端側および短尺状の一端側の双方に、捲着可能なコイルバネからなる掛け渡し部片３２を、主材部１に沿って進退移動可能に装着したものとなっている。
【００３１】
【実施例２】
図１５の釣り糸用係着部の斜視図に示される事例は、この発明の釣り具の釣り糸用係着部の構造に包含される他の実施例を示すものであり、弾発性を有するステンレスワイヤーからなる主材部の一端側を屈曲すると共に、主材部に一回転に渡り、捲回加工した上、その末端をフック状に屈曲して主材部に係合する閉鎖構造を設けたものである。
【００３２】
釣り糸用係着部は、主材部１を釣り糸中途部分４が緩やかに係着可能な直径となるよう屈曲した一端側を、該主材部１の周りに一回転に渡り、ややルーズに捲回加工して釣り糸係合孔部２を形成し、さらに、主材部１末端部を、同主材部１から離れる方向に所定寸法延伸した後に、主材部１側に向けて屈曲し、その末端をフック部３１とするよう折曲して略三角形状に閉鎖可能な閉鎖構造３を設けたものとなっている。
【００３３】
【実施例３】
図１６の釣り糸用係着部の構造を利用したウキの分解状態の斜視図、図１７の釣り糸用係着部の構造を利用したウキの斜視図、および、図１８の釣り糸用係着部の閉鎖構造を開放したウキの斜視図に示される事例は、釣り具であるウキに対して釣り糸用係着部を設けてなる、この発明の釣り糸用係着部の構造を利用した釣り具に包含されるウキの一実施例を示すものである。
【００３４】
当該ウキは、桐、朴木等の木材、あるいは軽量な合成樹脂を成形してなる釣り具本体であるウキ本体５の、軸芯部分に相当する部分に、上下に渡って直線状の装着用孔５１を穿孔する一方、該装着用孔５１に対し、同装着用孔５１の全長より長い、弾発性のステンレスワイヤーからなる主材部１を進退自在に挿入すると共に、主材部１のウキ本体５の上方に突出する上端側を、装着用孔５１の直径よりも大きな円弧状に屈曲し、一回転半に渡り密着コイル状に捲回加工して釣り糸係合孔部２を形成した上、その短尺状の末端側を装着用孔５１に挿通されている主材部１と略平行状となるよう形成したことにより、装着用孔５１および短尺状の末端側との間に閉鎖構造３を形成し、また、ウキ本体５の下方から突出する下端側には、装着用孔５１の直径よりも大きな直径で捲回加工されたコイルバネ６１を、同心状に装着すると共に、該コイルバネ６１の下端に主材部１下端側をカシメ結合し、コイルバネ６１の復原力を受けて主材部１が下方に向けて付勢する抜け出し防止構造６を形成したものとなっている。
【００３５】
【作  用】
以上のとおりの構成からなるこの発明の釣り具の釣り糸用係着部は、図２ないし図６の釣り糸中途部分の係着手順毎の斜視図に順次示すように、釣り糸中途部分４を係着する場合には、先ず、図２のように釣り糸中途部分４を閉鎖構造３の主材部１および同主材部１末端部分の間に圧入状に強制挿入する。このとき、主材部１末端部分は、その弾発性によって主材部１から離脱され、釣り糸中途部分４が横断状に通過可能となり、釣り糸中途部分４が通過後には、本来の形状に復元して、図３に示すように、釣り糸中途部分４を閉鎖構造３内に係着した状態となる。
【００３６】
次に、図３中の矢印に示すように、密着コイル状の釣り糸係合孔部２の螺旋形状に沿わせ、約１８０度の角度範囲に渡って釣り糸中途部分４全体を旋回状に移動することにより、図４のように、釣り糸中途部分４の一端側が釣り糸係合孔部２内に納まった状態となるものの、同他端側は、閉鎖構造３内から外れた状態となってしまうことから、さらに、図５に示すように、再び閉鎖構造部３の主材部１および同主材部１末端側との間に釣り糸中途部分４の他端側を横断状に強制圧入して通過させると、遂には、図６に示すように、釣り糸中途部分４全体が釣り糸係合孔部２内を通過した状態となり、釣り糸用係着部が釣り糸中途部分４に対して係着される。
【００３７】
また、図７ないし図１０の釣り糸中途部分の取り外し手順毎の斜視図に示されるように、釣り糸中途部分４を釣り糸用係着部から取り外す場合には、先ず、図７に示すように、釣り糸中途部分４の他端側を、閉鎖構造３の主材部１および同末端側との間に強制圧入して横断状に通過させると、図８に示されるように、釣り糸中途部分４の一端側を釣り糸係合孔部２に挿通状としたまま、他端側が閉鎖構造３から外れた、前記装着時の図４に示す状態と同じになり、次に、釣り糸中途部分４の他端側を、矢印で示すように釣り糸係合孔部２の螺旋形状に沿わせ、約１８０度の角度範囲に渡って旋回移動させると、図９中に示すように、釣り糸中途部分４全体が釣り糸係合孔部２内から閉鎖構造３内に移動した、前記装着時の図４に対応した状態となり、さらに、釣り糸中途部分４他端側を閉鎖構造３の主材部１および同末端側との間から同閉鎖構造３内に向けて横断状に強制通過すると、図１０に示されるように、釣り糸中途部分４は二つ折状となったままで釣り糸用係着部との係合が解かれた状態となり、釣り糸中途部分４を閉鎖構造３の輪形状内から引き出し可能となり、取り外される。
【００３８】
なお、閉鎖構造３の主材部１末端側を、図１１のように、主材部１から離れるよう屈曲形成したものとしておけば、釣り糸係合孔部２から釣り糸中途部分４を取り外す際の、図９中に示した状態における操作のように、閉鎖構造３の主材部１および同主材部３末端側との間に、釣り糸中途部分４を内側に向けて通過させる操作を不要とし、図１１中の矢印に示すように、釣り糸中途部分４全体を、主材部１と屈曲された主材部１末端側との間に誘導し、そのまま閉鎖構造３の内側から外側に向けて引き出せば、簡単に取り外されるものとなる。
【００３９】
また、閉鎖構造３の主材部１末端側を、図１２のように、フック部３１として形成しておけば、釣り糸中途部分４の係着および取り外しの際に、フック部３１の主材部１への係合を外し、閉鎖構造３を開放状態としたままに行うこととなり、閉鎖構造３を横断状に通過させる操作、即ち前記までの手順で図２や図５、図７、そして図９に示した段階における操作が省略され、釣り糸中途部分４に無用な弾発力が加わることを避けるようにしたものとすることもできる。さらに、図１３に示されるように、閉鎖構造３の主材部１の端部および同主材部１の末端部とを僅かに離反してなる輪状のものに形成すれば、閉鎖構造３部分にクレンサルカン７やヨリモドシ等の他の接続具を接続させる際に、連結部分に障害物が無く、円滑に移動可能なものとすることができる。
【００４０】
図１４のように、掛け渡し部片３２をコイルバネによって形成した釣り糸用係着部は、該掛け渡し部片３２を、主材部１の直線状部分に沿って釣り糸係合孔部２から離れる方向に移動すると、掛け渡し部片３２内に挿入されていた主材部１の短尺状一端側が、脱抜されて閉鎖構造３が開放され、釣り糸中途部分４を通過可能となり、また、主材部１の短尺状一端側を、同図中の矢印のように、主材部１末端側に近接する方向に変形、移動すると共に、掛け渡し部片３２を矢印方向に移動すると、閉鎖構造３が閉鎖される。
【００４１】
また、図１５に示す釣り糸用係着部は、フック部３１を主材部１の一端側から図中の矢印方向に変形、移動することにより、閉鎖構造３が開放され、矢印とは逆向きに操作することによって閉鎖構造３を閉鎖することとなり、図示しない釣り糸中途部分を係着する場合には、先ず閉鎖構造３を開放して同釣り糸中途部分を横断状に挿入した後に、主材部１の周りにややルーズに捲回された螺旋状の部分に沿って釣り糸係合孔部２内まで移動して係着し、最後にフック部３１を閉鎖し、取り外しの際には、釣り糸中途部分４を該螺旋状の部分に沿って係着のときとは逆向きに移動させ、閉鎖構造３内まで移動した上、該閉鎖構造３のフック部３１を開放して取り外すこととなる。
【００４２】
釣り糸用係着部を有するウキは、図１７に示されるように、抜け出し防止構造６を構成するコイルバネ６１の付勢を受け、主材部１の短尺状端部をウキ本体５に形成された装着用孔５１内に強制的に収容し、閉鎖構造３を閉鎖状態に保つものとなっており、釣り糸中途部分４を係着する際には、図１８のように、コイルバネ６１を圧縮して主材部１を装着用孔５１の上方に向けて上昇させ、主材部１の短尺状端部とウキ本体５の上部との間に開放された閉鎖構造３の開口部分から、図示しない釣り糸中途部を横断状に挿入し、さらに、釣り糸係合孔部２の密着コイル形状に沿って移動すると共に、釣り糸中途部分の一端側を再度閉鎖構造３の開口部分から横断状に挿入して該釣り糸係合孔部２に係着し、その後コイルバネ６１の圧縮を解き、主材部１を短尺状端部諸共、釣り糸係合孔部２の根元まで装着用孔５１内に引き込み、閉鎖構造３を閉鎖して釣り糸が係着される。さらに、該ウキ本体５の下側に突出する抜け出し防止構造６には、ゴムパイプ８１を装着すると共に、該ゴムパイプ８１の先端側に、暗所で発光する棒状の発光材部８を取り付ければ、夜間に有効な目印となる上、抜け出し防止構造６の固定を強化、補助するものとなる。
【００４３】
【効  果】
以上のとおり、この発明の釣り糸用係着部の構造によれば、釣りの最中であっても、時間や場所を選ばず、必要に応じて釣り糸の中途部に対してあらゆる釣り具小物を自在に着脱可能とすることができると共に、釣り糸への係着も迅速且つ確実であり、釣り糸を係着する釣り糸係合孔部の内径を、釣り糸の遊びが少なく、さらに釣り糸に沿って自在に移動可能な適正寸法に設定することも容易である上、釣り糸係合孔部を形成する際に、弾発性ワイヤーの直径を適正に選択し、必要に応じて捲回数を増やすことにより、釣り糸の一部に大きな荷重が集中することを防止できるという秀れた特徴を発揮するものである。
【００４４】
また、この発明の釣り糸用係着部の構造を利用した釣り具によれば、釣り具自体に前記釣り糸係着部の機能をもたせることが可能となるので、従前までの釣り具に比較して、釣り糸中途部への着脱作業が格段に改善されたものとなり、釣り具製品としての付加価値を高めることができ、釣り糸用係着部の構造を単体部品とした場合よりも、より迅速な仕掛けの組み立てを可能とする上、釣り糸中途部に他の接続金具等を介さず直接的に接続することができるので、釣糸を操る際の操作性に秀れた仕掛けの組み立てを実現し得るものになるという利点が得られる。
【００４５】
特に、図１ないし図１０に示される釣り糸用係着部は、弾発性を有するステンレスワイヤーを屈曲加工する工程だけで製作可能になると共に、他の付属部品等を一切必要とせず、製造工数も最小限に抑えることが可能であり、大量生産も容易であることから、廉価に製造することができると共に、釣り糸中途部への着脱操作も簡便であって、ポケットや小物ケース等に入れての持ち運びにも嵩張らず、釣りの最中に仕掛けを組み直す場合に、何等移動をする必要がなく、その場の手作業で充分に釣り糸中途部への脱着が可能であり、従前まで必要であった釣り糸を途中で切断し、必要な釣り具を取り付けあるいは取り外した後に、再度釣り糸を繋ぎ合わせる等といった手間を省き、迅速に仕掛けを組み立てることができるようになるという効果が得られる。
【００４６】
さらに、図１１、図１２および図１３の夫々に示さしているように、閉鎖構造をフック型または端部対峙型等の各種構造のものとして製造することにより、釣り糸中途部への着脱が、さらに簡単なものとなり、釣り具小物に疎い初心者であっても、始めから困惑することなく簡単に仕掛けを組み上げることができ、また、使い慣れたベテランにとっても単純な取り付けミスを防ぐことができるものとなり、釣場状況の変化等に即応する急ぎの仕掛けの組み替えにも、期待どおりの威力を発揮するものとすることができるという極めて実利的な特徴が得られることになる。
【００４７】
また、図１４に示されるもののように、コイルバネからなる掛け渡し部片３２を設けたことにより、操作部となるコイルバネ外周部分が適度の摩擦を持ち、閉鎖構造３の開閉操作を容易且つ確実なものとすることができる上、閉鎖構造３を開放すると、主材部１と同主材部１末端側との間に開口する釣り糸係合孔部２への釣り糸中途部の入口を大きく設定することが可能であり、風雨等の厳しい自然環境下での細かな仕掛け組み立て作業に大いに役立つこととなって、釣りに集中することを可能にするという効果を奏するものとすることができ、さらに、図１５中に示す釣り糸用係着部では、一本のステンレスワイヤーを屈曲加工することによって廉価に製造することができる上、閉鎖構造３を略三角形を形成するよう屈曲し、先端にフック部を設けたものとしていることにより、釣り糸係合孔部２の主材部１への巻き付き部分を支点とした開閉操作を容易にし、釣り糸中途部への取り付け作業を簡単に行うことができるという特徴が得られる。
【００４８】
そして、図１６ないし図１８に示す釣り具としてのウキは、抜け出し防止構造６であるコイルバネ６１を圧縮操作することにより、容易に閉鎖構造３を開口することができる上、閉鎖構造３を通過させた釣り糸中途部分を、密着コイル状に捲回加工された釣り糸係合孔部２に係着することによって閉鎖構造３を閉鎖した場合にも、釣り糸がウキの装着用孔５１開口縁部に接触して傷んでしまうことを防止し、釣り糸を保護することができるという利点が得られる外、不用意にコイルバネ６１が圧縮されてしまった場合であっても、釣り糸が抜け落ちてしまうといった不都合を確実に阻止することができるものとなる。
【００４９】
叙述の如く、この発明の釣り具の釣り糸用係着部の構造、およびそれを利用した釣り具は、その新規な構成によって所期の目的を遍く達成可能とするものであり、しかも弾発性ワイヤーという、至って簡素な素材からの製造が可能であって製造も容易なことから、従前からの接続用金具および釣り具の単価に比較し、更に経済的なものとして製造可能な上、広範囲に渡る各種釣り具に対して採用できるものとなり、益々多様化する釣り人の要求に応えていかなければならないという厳しい環境下の釣り具業界からはもとよりのこと、期待どおりの用具を求める釣り人からも高く評価され、大いに普及していくものになると予想される。
【図面の簡単な説明】
図面は、この発明の釣り具の釣り糸用係着部の構造、およびそれを利用した釣り具の技術的思想を具現化した代表的な幾つかの実施例を示すものである。
【図１】釣り糸用係着部の構造を示す斜視図である。
【図２】閉鎖構造に釣り糸中途部を装着する工程を示す斜視図である。
【図３】釣り糸係合孔部に沿って釣り糸を移動する状態を示す斜視図である。
【図４】釣り糸が釣り糸係合孔部の途中まで係着された状態を示す斜視図である。
【図５】釣り糸の他端側が閉鎖構造を通過する状態を示す斜視図である。
【図６】釣り糸を係着した釣り糸用係着部の構造を示す斜視図である。
【図７】取外の際、釣り糸他端側が閉鎖構造を通過する状態を示す斜視図である。
【図８】釣り糸係合孔部に沿って釣り糸を移動する状態を示す斜視図である。
【図９】釣り糸他端側が閉鎖構造を再度通過する状態を示す斜視図である。
【図１０】釣り糸が釣り糸係合孔部から引き出される状態を示す斜視図である。
【図１１】釣り糸用係着部の閉鎖構造の変形例を示す斜視図である。
【図１２】釣り糸用係着部の閉鎖構造の他の変形例を示す斜視図である。
【図１３】釣り糸用係着部の閉鎖構造のさらに他の変形例を示す斜視図である。
【図１４】掛け渡し部片を有する釣り糸用係着部を示す斜視図である。
【図１５】他の釣り糸係合孔部を有する釣り糸用係着部を示す斜視図である。
【図１６】釣り糸用係着部を設けたウキの分解状態を示す斜視図である。
【図１７】抜け出し防止構造に他の釣り具を取り付ける状態を示す斜視図である。
【図１８】閉鎖構造を開く状態のウキを示す斜視図である。
【符号の説明】
１      主材部（ステンレス製ワイヤー）
２      釣り糸係合孔部
３      閉鎖構造
３１    同  フック部
３２    同  掛け渡し部片
３３    同  連結環部
４      釣り糸中途部分
５      ウキ本体（釣り具本体）
５１    同  装着用孔
６      抜け出し防止構造
６１    同  コイルバネ
７      クレンサルカン
８      発光材部
８１    同  ゴムパイプ
【図１】
0004163313.tif 000002
【図２】
0004163313.tif 000003
【図３】
0004163313.tif 000004
【図４】
0004163313.tif 000005
【図５】
0004163313.tif 000006
【図６】
0004163313.tif 000007
【図７】
0004163313.tif 000008
【図８】
0004163313.tif 000009
【図９】
0004163313.tif 000010
【図１０】
0004163313.tif 000011
【図１１】
0004163313.tif 000012
【図１２】
0004163313.tif 000013
【図１３】
0004163313.tif 000014
【図１４】
0004163313.tif 000015
【図１５】
0004163313.tif 000016
【図１６】
0004163313.tif 000017
【図１７】
0004163313.tif 000018
【図１８】
0004163313.tif 000019